(57)【要約】汚れた乳幼児用衛生装着具を取り替え易くするための器具が、汚れた衛生装着具を取り替えなければならない乳幼児の胴部を受容するよう構成された凹部を有するラミナ（１０１）と、乳幼児を寝かせることができるベース部材（１０２）に対して直角且つ横方向にラミナ（１０１）の位置決めを行うためのラミナ位置決め手段（１０３，１０４）とを有し、ラミナ位置決め手段が、ラミナ（１０１）の各端部の両側に設けられた１組の折り畳み可能なサポート部（１０３，１０４）を具える。【選択図】図１
2008539846.tif 000002
【特許請求の範囲】
【請求項１】
汚れた衛生装着具を取り替える乳幼児の胴部を受容するよう構成された凹部１０６を有するラミナ１０１と、
前記乳幼児を寝かせることができるベース部材１０２に対して横方向且つ直交する方向に前記ラミナ１０１を位置決めするためのラミナ位置決め手段１０３，１０４とを具えており、
前記ラミナ位置決め手段が、前記ラミナ１０１の端部の両側に設けられた１組の折り畳み可能なサポート部１０３，１０４を具えることを特徴とする汚れた乳幼児用衛生装着具を取り替え易くするための器具。
【請求項２】
前記少なくとも１組のサポート部１０３，１０４が、ベース部材１０２に脱着可能に取り付け可能であることを特徴とする請求項１に記載の器具。
【請求項３】
前記ラミナ１０１の前記凹部１０６に、弾性気泡材料１０７の縁が付いていることを特徴とする請求項１又は２に記載の器具。
【請求項４】
前記弾性気泡材料１０７が、清掃可能なエンベロープで包まれていることを特徴とする請求項３に記載の器具。
【請求項５】
前記ラミナ１０１の凹部１０６のサイズを変えるための手段が設けられていることを特徴とする請求項１から４のいずれか１項に記載の器具。
【請求項６】
前記ラミナ１０１の凹部１０６の縁の前記弾性気泡材料１０７の厚さを変えるための手段が設けられていることにより、前記ラミナ１０１の凹部１０６のサイズを変えることを特徴とする、請求項４に従属する場合の請求項５に記載の器具。
【請求項７】
前記ラミナ１０１の凹部１０６の縁の弾性気泡材料１０７の厚さを変えるための手段が、脱着可能に取り付けられた複数の弾性気泡材料の層を具えており、それらを追加又は取り外すことにより前記ラミナ１０１の凹部１０６の大きさを変えることができることを特徴とする請求項６に記載の器具。
【請求項８】
おむつを取り替える乳幼児の胴部に接触する前記ラミナ１０１の部分が、清掃の目的のために前記ラミナ１０１の残りの部分から取り外せるパネル４０１を具えていることを特徴とする請求項１から７のいずれか１項に記載の器具。
【請求項９】
請求項１又は請求項２に従属する場合の請求項７に記載の器具において、
前記パネル４０１が、下端部に伸縮性を持たせた洗浄できる繊維材料から成ることを特徴とする請求項７に記載の器具。
【請求項１０】
前記ラミナ１０１及びそのサポート部１０３，１０４が、従来の乳幼児用取り替えマット又は他の面に取り付けられるよう構成されることを特徴とする請求項１から９のいずれか１項に記載の器具。
【発明の詳細な説明】
【技術分野】
【０００１】
本発明は、汚れた乳幼児用衛生装着具を取り替え易くするための器具に関する。
【背景技術】
【０００２】
通常は自分で排泄処理できない乳幼児には、汚れた際に取り替える衛生装着具が与えられる。このような衛生装着具は使い捨て又は洗浄可能であるが、いずれのケースでも、英国では、このような品物は、おむつ（ｎａｐｐｉｅｓ）又は単数でおむつ（ｎａｐｐｙ）と口語的に称される。外国ではこのような品物を説明するのに他の用語が使用され；例えば、米国では、それらは「おむつ（ｄｉａｐｅｒ）」と称される。本明細書では、「おむつ（ｎａｐｐｙ）」又は「おむつ（ｎａｐｐｉｅｓ）」という用語は、このような品物を説明するのに使用することとするが、このような品物を説明するのに他の何らかの用語を、必要に応じて特定の使用に対して代わりに使ってよいことに留意されたい。
【発明の開示】
【発明が解決しようとする課題】
【０００３】
近頃においては、実用可能な場合、乳幼児は、特別なマットの上で取り替えるおむつを大抵装着しており、このようなおむつは洗浄及び殺菌可能な弾力のある面を有している。しかしながら、乳幼児は動く生き物であり、おむつ交換の際に動き回ろうとして、乳幼児用取り替えマットから落ちるとともに、時として手、衣服及び体の他の部分を汚す。
【０００４】
このような動作をし易くする既存の器具は、公開された特許明細書ＧＢ２，３６０，４３９；ＵＳ４，２０５，６６９；ＵＳ５，１６１，２７０；ＵＳ６，００９，８７４に示されている。
【０００５】
特許明細書ＧＢ２，３６０，４３９は、別の乳幼児用取り替え面とともに使用するための器具を開示しており、下部構成部品と、一端が下部構成部品にヒンジ取り付けされ他端が下部構成部品に取り外し可能に固定された弓形の拘束部材とから成る。拘束部材を垂直面に保持するための支持部がないため、おむつを取り替えなければならない子供は、拘束部材を押したり引いたりするようである。また、拘束部材の形状を変えて様々な大きさの子供に合うようにできるための手段が開示されていない。
【０００６】
特許明細書ＵＳ６，２０５，６６９は、弓形の軸に平行な材料が主要な横方向の寸法を具えた矩形断面の紐状の材料でできた弓形の拘束部材からなる器具を開示している。弓の弦はネット状でその下端部は伸縮性がある。拘束部材は、一端がベース部材にヒンジ取り付けされており、他端がベース部材（又は別のベース部材）に取り外し可能に留められている。また、器具を使用する乳幼児の足首の周りを拘束する拘束紐が設けられている。拘束部材のために垂直面にサポート部が設けられていない。このような器具は、少なくとも２つの欠点を有している。明細書ＧＢ２，３６０，４３９に開示された器具と同様に、垂直面が弱い。また、拘束紐の使用は、関係する乳幼児を悩ます可能性がある。
【０００７】
明細書ＵＳ５，１６１，２７０は、間にバリアが嵌る２組の短い垂直位置決め部材によって垂直面に保持されるバリアを有する器具を開示している。本発明のある実施例では、バリアの一端がベース部材にヒンジで取り付けられており、他端がベース部材に取り外し可能に取り付けられている。バリアは、その下端部に弓形の凹部を有しており、器具を使用する乳幼児の胴部に適合する。本発明の別の実施例では、バリアが垂直位置決め部材に入り込んでおり、２つの互いに跨る紐が設けられ器具を使用する乳幼児の胴部を保持する。
【０００８】
さらに、このような器具は、垂直位置決め部材がバリアを垂直支持するのに短すぎる場合に、垂直面が弱い。また、拘束紐がバリアの下部に取り付けられており、バリアを垂直面に支持しない。さらに、本発明の第２の実施例に係る拘束紐は、バリアが位置決め部材に入り込んでいるだけでそれ以外は自由であり、乳幼児はバリアをモゾモゾと動かして外してしまうこともある。このような発明の別の欠点は、様々な大きさの乳幼児に適合させるためにバリアに凹部の大きさを変えるための備えがないことである。
【０００９】
明細書ＵＳ６，００９，８７４は、バリアを全く採用していない器具を開示しており、この器具を使用する乳幼児の胸部の周りに嵌る拘束具を単に有している。このため、このような器具は、本発明と関連性がない。
【００１０】
本発明の目的は、乳幼児のおむつを取り替え易くするための器具を提供することである。
【課題を解決するための手段】
【００１１】
本発明の一態様によれば、器具が、汚れた衛生装着具を取り替え易くするための器具が、汚れた衛生装着具を取り替える乳幼児の胴部を受容するよう構成された凹部を有するラミナと、乳幼児を寝かせることができるベース部材に対して横方向且つ直交する方向にラミナを位置決めするためのラミナ位置決め手段とを具えており、ラミナ位置決め手段が、ラミナの端部の両側に設けられた１組の折り畳み可能なサポート部を具え、汚れた乳幼児用衛生装着具を取り替え易くする。
【００１２】
本発明の第２の態様によれば、ラミナ及びラミナ支持手段が、既存の乳幼児用取り替えマットに取り付けられるよう構成される。
【００１３】
好適には、ラミナは一般に矩形状で、その下端部に乳幼児用取り替えマットに寝かされた乳幼児の胴部を受容及び保持するよう構成された凹部が設けられている。
【００１４】
好適には、ラミナは半硬質材料でできており、清掃可能な面が設けられている。
【００１５】
また、好適には、ラミナのサイドには、おむつの取り替えの際に乳幼児を喜ばせたり楽しませるための手段が設けられている。
【００１６】
代替的に、ラミナの上端部に乳幼児を喜ばせる手段を設けてもよい。
【発明を実施するための最良の形態】
【００１７】
ここで、添付の図面を参照して、実施例により本発明を説明する。
【００１８】
図１を参照すると、乳幼児のおむつを取り替え易くするための器具１００が、一般に矩形状で清掃することができるプラスチックの面を備える半硬質材料でできたラミナ１０１を具えている。ラミナ１０１は、プラスチック材料のベースシート１０２の横方向に位置しており、その主軸がベースシート１０２と平行で、器具を使用しない際にはベースシート１０２と接触するようにベースシート１０２に対して回動できるような方法でベースシート１０２に取り付けられている。ラミナ１０１を、折り畳める襞１０３及びテープ１０４により、その面がベースシート１０２の面に対して垂直になる動作位置に保持できる。襞１０３を紐に替えることができる。
【００１９】
ラミナ１０１の下部横方向の端部１０５は、乳幼児の胴部に適合するのに十分大きい凹部１０６である。乳幼児の心地悪さを減らして、様々な大きさの乳幼児が器具を使用できるようにするため、凹部１０６は、清掃可能なエンベロープで包まれた弾性気泡材料できたカラー１０７によって縁取られている。乳幼児に対して所定の位置のラミナを取り替え易くするために、少なくともその一端をベースシート１０２から取り外せるよう作ることができる。使用中、乳幼児の頭部に面しているラミナ１０１の側面には、おしめを取り替える間、乳幼児を楽しませるための絵又は他の手段が設けられている。代替的に、移動できる物といった乳幼児を楽しませる手段を、ラミナ１０１の上端部１０８に取り付けることができる。また、ラミナ１０１の上端部１０８を直線よりはむしろ湾曲させることができる。
【００２０】
各シート１０２の端部には、乳幼児の取り替えマット（図示せず）に器具を取り付けることができるように紐１０９，１１０の組が設けられている。紐１０９，１１０に、Ｖｅｌｃｒｏ（登録商標）として知られる取り外し可能な接着材料のパッチ（ｐａｔｃｈｅｓ）を設けてもよい。
【００２１】
図２を参照すると、図１を参照して説明した乳幼児の移動拘束手段を設けた従来の乳幼児用取り替えマット２０１が示されており、対応する部分が同じ符号を有している。乳幼児用取り替えマット２０１には、横方向のシーム２０２が設けられており、収納のため潰れた姿勢にラミナ１０１を包むよう折り畳むことができる。
【００２２】
図３を参照すると、既存の乳幼児用マットとともに使用することを目的とする本発明の第３の実施例において、シート１０２が、既存の乳幼児用取り替えマットの幅に亘って乳幼児用取り替えマットのサイドの周りを延びるのに十分長い別々のバンド材３０１によって置き換えられている。バンド材３０１には、Ｖｅｌｃｏ３０２，３０３（登録商標）の一片が設けられており、その一方の符号３０２は、他方よりも幅が広い。ラミナ１０１の襞１０３及びテープ１０４（図３に含まれていない）の外側に面した面には、バンド材３０１を既存の乳幼児用マット２０１の下に通した際にバンド材３０１に取り付けることができるように、Ｖｅｌｃｏ（登録商標）片が設けられている。バンド材３０１により幅が広いＶｅｌｃｏ（登録商標）片３０２が設けられていることで、一つのバンド材３０１を異なる幅の乳幼児用マット２０１とともに使用できる。
【００２３】
乳幼児が成長できるように、所定のラミナ１０１に互いに取り付けるよう構成された多くのカラー１０７を設けることができる。乳幼児が成長すると、一連のカラー１０７を取り外すことができる。また、このような構成により、一つの器具を様々な大きさの乳幼児に使用できる。
【００２４】
図４を参照すると、本発明の別の実施例が示されている。上記の部品に対応するそれらの部品は、同じ符号を有しているため、再度説明しないこととする。本発明のこの実施例では、ラミナ１０１が、先に説明した本発明の実施例のラミナ１０１の下部に凹部１０６よりも大きい切欠部４０１を有している。洗浄可能な材料の長さ４０２は、２片のＶｅｌｃｏ（登録商標）材によってラミナ１０１に取り外し可能に留められている。洗浄可能な材料の長さ４０２の下端部４０４は、様々な大きさの乳幼児に適合するよう調整するように、伸縮性がある。このような構成により器具を清掃し易く、ラミナ１０１がベースシートに付いている場合及びラミナ１０１が既存の乳幼児用取り替えマットに取り付けるよう構成されている場合のいずれにも、使用できる。
【図面の簡単な説明】
【００２５】
【図１】図１は、従来の乳幼児用取り替えマットに取り付けるように構成した本発明を実施する器具を示す図である。
【図２】図２は、本発明を実施する乳幼児用取り替えマットを示す図である。
【図３】図３は、本発明を実施する別の器具の部品を示す平面図である。
【図４】図４は、本発明を実施する別の乳幼児用取りマットを示す図である。
【図１】
2008539846.tif 000003
【図２】
2008539846.tif 000004
【図３】
2008539846.tif 000005
【図４】
2008539846.tif 000006
【国際調査報告】
2008539846.tif 000007
2008539846.tif 000008
2008539846.tif 000009